(57)【要約】【課題】従来、歯列弓の形状を把握する手段は、ワックス、印象材の使用や、咬合圧はフィルム状検体の咬合時の発色の度合を検知、また押圧感知抵抗体によるフィルム状のセンサの歯列の咬合圧の測定値をリアルタイムで表示するもの等があったが、シュミレーションには不足で診断と治療は熟練者の経験によっていた。本発明は臨床に容易に応用できる咬合圧測定・咬合調整システムを提供する。【解決手段】咬合圧値リアルタイム表示装置のセンサーシートサポートのＵ字部にＸＹ座標と目盛りを刻設・プリントし、咬合部には印記材を塗布して咬合歯形を取得すると共に歯牙にも印記し、また同ＸＹ座標を測定装置の画面に表示し、前記センサシートの咬合歯形と咬合圧データ画像とを座標により対応させて位置決めし、リアルタイムの歯列咬合圧の分布を把握して、咬合接触の評価に活用する。【選択図】図１
2005270143.tif 000002
【特許請求の範囲】
【請求項１】
歯科用咬合圧測定センサシートのセンシングポイントからリアルタイムの圧力値を画像又は／及びデータにて表示・記録する過程を含む歯科用咬合圧測定・咬合調整システムにおいて使用される歯科用咬合圧測定用具であって、
押圧位置検出信号出力機能を備えた咬合圧測定センサシートと同センサシートを着脱自在に支持するＵ字型の薄板状センサシートサポートからなり、かつ前記咬合圧測定センサシート面には印記材料が塗着されてなり、また前記Ｕ字型の薄板状センサシートサポート表面には格子状をなすＸＹ座標目盛りとその区分を示す数字・記号が刻設又はプリントされてなることを特徴とする歯科用咬合圧測定用具。
【請求項２】
前記センササポートの基部に長方形の短角筒の下側の長辺の一端縁が水平に接合され、また、同短角筒の上側の長辺の一端縁には、開閉自在に蓋片が枢着され、かつ前記蓋片の下端内面及び前記短角筒の下側の長辺の一端縁の上面にパッキン板が設けられてなることを特徴とする請求項１記載の歯科用咬合圧測定用具。
【請求項３】
請求項１に記載の歯科用咬合圧測定用具の歯科用咬合圧測定センサシートを噛むことによって得られる印記データを記録したセンサシートとＵ字型の薄板状センサシートサポートの上面に重ね合わされて使用される、格子状をなすＸＹ座標目盛りとその区分を示す数字・記号がプリントされた透明スケール盤。
【請求項４】
（１）押圧位置検出信号出力機能を備えた咬合圧測定センサシートと同センサシートを着脱自在に支持するＵ字型の薄板状センサシートサポートからなり、かつ前記咬合圧測定センサシート面には印記材料が塗着されてなり、また前記Ｕ字型の薄板状センサシートサポート表面には格子状をなすＸＹ座標目盛りとその区分を示す数字・記号が刻設又はプリントされてなる歯科用咬合圧測定用具と、
（２）センサシートの各圧力検出点から出力された電気抵抗が変換されたデジタル信号を受け入れるパラレルインターフェイスモジュールと、
（３）前記咬合圧測定センサシートから出力された押圧位置検出信号を解析する中央処理装置（ＣＰＵ）と、
（４）前記咬合圧測定センサシートから出力された押圧位置検出信号を解析するＣＰＵから得られる咬合圧力値を画像又は／及びデータにて表示する表示器と、を備えてなる歯科用咬合圧測定・咬合調整システム。
【請求項５】
（１）押圧位置検出信号出力機能を備えた咬合圧測定センサシートと同センサシートを着脱自在に支持するＵ字型の薄板状センサシートサポートからなり、かつ前記咬合圧測定センサシート面には印記材料が塗着されてなり、また前記Ｕ字型の薄板状センサシートサポート表面には格子状をなすＸＹ座標目盛りとその区分を示す数字・記号が刻設又はプリントされてなる歯科用咬合圧測定用具と、
（２）センサシートの各圧力検出点から出力された電気抵抗が変換されたデジタル信号を受け入れるパラレルインターフェイスモジュールと、
（３）前記咬合圧測定センサシートから出力された押圧位置検出信号を解析する中央処理装置（ＣＰＵ）と、
（４）前記咬合圧測定センサシートから出力された押圧位置検出信号を解析するＣＰＵから得られる咬合圧力値を画像又は／及びデータにて表示する表示器と、
（５）前記（１）の歯科用咬合圧測定用具の歯科用咬合圧測定センサシートを噛むことによって得られる印記データを記録したセンサシートとＵ字型の薄板状センサシートサポートの上面に重ね合わされて使用される、格子状をなすＸＹ座標目盛りとその区分を示す数字・記号がプリントされた透明スケール盤と、
を備えてなることを特徴とする歯科用咬合圧測定・咬合調整システム。
【請求項６】
（１） 前記印記材が塗着された咬合圧測定センサシートを噛むことによって歯牙の咬合面には印記材が印記されるとともに、センサシートの咬合個所には歯牙に印記された部分が剥がされた状態の歯形の歯列が残存表示され、
（２）この歯形の位置は、前記ＸＹ座標の目盛り区分を示す数字・記号により特定され、
（３）表示器に画像表示された前記ＸＹ座標の目盛り区分を示す数字・記号により、個々の歯牙の咬合圧データを示すパターンの位置が特定され、
（４）前記センサシートと表示画面の両者を目視して比較し、対応する座標上の位置を確認することにより、咬合圧データを示す歯牙の位置決めをすることができることを特徴とする請求項４又は５のいずれか１項に記載の咬合圧測定・咬合調整システム。
【請求項７】
前記ＸＹ座標の目盛りが施されたセンサシート上の歯形と表示器の画像咬合圧データ及び、歯牙に残る印記データの３つのデータにより、
調整を要する歯牙の調整箇所を確認し、処置することができることを特徴とする請求項６に記載の咬合圧測定・咬合調整システム。
【請求項８】
前記センサシートに塗着される印記材が、スプレーにより塗着されるものであって速乾性でかつ、咬合時には容易に剥がれて歯牙の咬合面に付着するものであることを特徴とする請求項１又は２に記載の歯科用咬合圧測定用具。
【発明の詳細な説明】
【技術分野】
【０００１】
本発明は、咬合圧測定・咬合調整システム及びそれに使用される歯科用咬合圧測定用具に関する。
【背景技術】
【０００２】
従来、歯列弓の形状を把握する手段として、ワックスや印象材が使用され、
また、咬合圧を測定する手段として、フィルム状のセンサを咬合したときの圧力による発色の度合いにより分布状態を検知するもの、あるいは圧力により電気抵抗が変化する押圧感知抵抗体の薄膜を配設したフィルム状のセンサを咬合したときの歯列の咬合圧の測定値をリアルタイムで表示する押圧位置検出信号出力機能を備えた咬合圧測定センサシート（特許第２９０４４９４号公報）、等個々のデータを取得する手段があった。
【特許文献１】特許第２９０４４９４号公報
【発明の開示】
【発明が解決しようとする課題】
【０００３】
しかしながら、前記の取得データは、治療に先だって具体的なシュミレーションを行うには不十分であり、実際の診断と治療は主として熟練者の経験に委ねられていた。従って、前記データの取得装置は専ら専門の研究医によって使用され、一般の歯科医には普及されていなかった。
現在臨床で行われている咬合調整では、リアルタイムにおける接触部位の位置決めの定量的な診査方法がないため、例えば早期接触部を咬合調整することができなかった。
これは咬合調整をリアルタイムに記録するシステムが、治療用器具としての機能を備えていないため、臨床に応用できないことに原因があった。
本発明では、咬合圧の測定値をリアルタイムに表示する機器、前記（特許第２９０４４９４号公報）における接触部位の位置決めと、歯の早期接触部位の印記を実現する咬合調整器具としての機能を付加した咬合圧測定・咬合調整システムを提供する。
【課題を解決するための手段】
【０００４】
上記に鑑み本発明者等は鋭意実験研究の結果、次の手段によってこの課題を解決した。
〔１〕歯科用咬合圧測定センサシートのセンシングポイントからのリアルタイムの圧力値を画像又は／及びデータにて表示・記録する過程を含む歯科用咬合圧測定・咬合調整システムにおいて使用される歯科用咬合圧測定用具であって、
押圧位置検出信号出力機能を備えた咬合圧測定センサシートと同センサシートを着脱自在に支持するＵ字型の薄板状センサシートサポートからなり、かつ前記咬合圧測定センサシート面には印記材料が塗着されてなり、また前記Ｕ字型の薄板状センサシートサポート表面には格子状をなすＸＹ座標目盛りとその区分を示す数字・記号が刻設又はプリントされてなることを特徴とする歯科用咬合圧測定用具。
〔２〕前記センササポートの基部に長方形の短角筒の下側の長辺の一端縁が水平に接合され、また、同短角筒の上側の長辺の一端縁には、開閉自在に蓋片が枢着され、かつ前記蓋片の下端内面及び前記短角筒の下側の長辺の一端縁の上面にパッキン板が設けられてなることを特徴とする前項〔１〕に記載の歯科用咬合圧測定用具。
【０００５】
〔３〕前項〔１〕に記載の歯科用咬合圧測定用具の歯科用咬合圧測定センサシートを噛むことによって得られる印記データを記録したセンサシートとＵ字型の薄板状センサシートサポートの上面に重ね合わされて使用される、格子状をなすＸＹ座標目盛りとその区分を示す数字・記号がプリントされた透明スケール盤。
〔４〕（１）押圧位置検出信号出力機能を備えた咬合圧測定センサシートと同センサシートを着脱自在に支持するＵ字型の薄板状センサシートサポートからなり、かつ前記咬合圧測定センサシート面には印記材料が塗着されてなり、また前記Ｕ字型の薄板状センサシートサポート表面には格子状をなすＸＹ座標目盛りとその区分を示す数字・記号が刻設又はプリントされてなる歯科用咬合圧測定用具と、（２）センサシートの各圧力検出点から出力された電気抵抗が変換されたデジタル信号を受け入れるパラレルインターフェイスモジュールと、（３）前記咬合圧測定センサシートから出力された押圧位置検出信号を解析する中央処理装置（ＣＰＵ）と、（４）前記咬合圧測定センサシートから出力された押圧位置検出信号を解析するＣＰＵから得られる咬合圧力値を画像又は／及びデータにて表示する表示器と、を備えてなることを特徴とする歯科用咬合圧測定・咬合調整システム。
【０００６】
〔５〕（１）押圧位置検出信号出力機能を備えた咬合圧測定センサシートと同センサシートを着脱自在に支持するＵ字型の薄板状センサシートサポートからなり、かつ前記咬合圧測定センサシート面には印記材料が塗着されてなり、また前記Ｕ字型の薄板状センサシートサポート表面には格子状をなすＸＹ座標目盛りとその区分を示す数字・記号が刻設又はプリントされてなる歯科用咬合圧測定用具と、（２）センサシートの各圧力検出点から出力された電気抵抗が変換されたデジタル信号を受け入れるパラレルインターフェイスモジュールと、（３）前記咬合圧測定センサシートから出力された押圧位置検出信号を解析する中央処理装置（ＣＰＵ）と、（４）前記咬合圧測定センサシートから出力された押圧位置検出信号を解析するＣＰＵから得られる咬合圧力値を画像又は／及びデータにて表示する表示器と、（５）前記〔１〕の歯科用咬合圧測定用具の歯科用咬合圧測定センサシートを噛むことによって得られる印記データを記録したセンサシートとＵ字型の薄板状センサシートサポートの上面に重ね合わされて使用される、格子状をなすＸＹ座標目盛りとその区分を示す数字・記号がプリントされた透明スケール盤と、を備えてなることを特徴とする歯科用咬合圧測定・咬合調整システム。
【０００７】
〔６〕（１）前記印記材が塗着された咬合圧測定センサシートを噛むことによって歯牙の咬合面には印記材が印記されるとともに、センサシートの咬合個所には歯牙に印記された部分が剥がされた状態の歯形の歯列が残存表示され、
（２）この歯形の位置は、前記ＸＹ座標の目盛り区分を示す数字・記号により特定され、
（３）表示器に画像表示された前記ＸＹ座標の目盛り区分を示す数字・記号により、個々の歯牙の咬合圧データを示すパターンの位置が特定され、
（４）前記センサシートと表示画面の両者を目視して比較し、対応する座標上の位置を確認することにより、咬合圧データを示す歯牙の位置決めをすることができることを特徴とする前項〔４〕又は〔５〕のいずれか１項に記載の咬合圧測定・調整システム。
〔７〕前記ＸＹ座標の目盛りが施されたセンサシート上の歯形と表示器の画像咬合圧データ及び、歯牙に残る印記データの３つのデータにより、調整を要する歯牙の調整箇所を確認し、処置することができることを特徴とする前項〔６〕に記載の咬合圧測定・咬合調整システム。
〔８〕前記センサシートに塗着される印記材が、スプレーにより塗着されるものであって速乾性でかつ、咬合時には容易に剥がれて歯牙の咬合面に付着するものであることを特徴とする前項〔１〕又は〔２〕に記載の歯科用咬合圧測定用具。
【発明の効果】
【０００８】
本発明によれば、次のような優れた効果を発揮することができる。
１、本発明の請求項１の発明によれば、
歯科用咬合圧測定センサシートのセンシングポイントからのリアルタイムの圧力値を画像又は／及びデータにて表示・記録する過程を含む歯科用咬合圧測定・咬合調整システムにおいて使用される歯科用咬合圧測定用具であり、
押圧位置検出信号出力機能を備えた咬合圧測定センサシートと同センサシートを着脱自在に支持するＵ字型の薄板状センサシートサポートからなり、かつ前記咬合圧測定センサシート面には印記材料が塗着されてなり、また前記Ｕ字型の薄板状センサシートサポート表面には格子状をなすＸＹ座標目盛りとその区分を示す数字・記号が刻設又はプリントされてなるため、
センサシートを咬合すると、歯牙の咬合面に印記材が印記されるとともに、センサシートの咬合部には上記歯牙に印記された部分が剥がされた状態の歯形の歯列が残存表示されるため、この歯形の位置を、前記ＸＹ座標目盛とその区分を示す数字・記号により特定することができる。
また、上記のＸＹ座表目盛りはセンササポートに配設されるため、繰り返して使用することができる。
【０００９】
２、請求項２の発明によれば、
前記センササポートの基部に長方形の短角筒の下側の長辺の一端縁が水平に接合され、また、同短角筒の上側の長辺の一端縁には、開閉自在に蓋片が枢着され、かつ前記蓋片の下端内面及び前記短角筒の下側の長辺の一端縁の上面にパッキン板が設けられてなるため、センサシートの着脱が容易であり、かつ取着時確実に固定されると共に、センサシートを挟む上下のパッキンにより口腔内の唾液等の水分の侵入を止め、機器の汚染を防止することができる。
３、請求項３の発明によれば、
前記歯科用咬合圧測定センサシートを噛むことによって得られる印記データを記録したセンサシートとＵ字型の薄板状センサシートサポートの上面に重ね合わされて使用される、格子状をなすＸＹ座標目盛りとその区分を示す数字・記号がプリントされた透明スケール盤であるため、単独にて使用の他、センササポート上に重ねて使用すれば見やすいＸＹ座標を得ることができる。
また、この透明スケール盤は、再使用又は使い捨てでもよく、あるいは透明シートでもよい。
【００１０】
４、請求項４及び請求項５の発明によれば、
押圧位置検出信号出力機能を備えた咬合圧測定センサシートと同センサシートを着脱自在に支持するＵ字型の薄板状センサシートサポートからなり、かつ前記咬合圧測定センサシート面には印記材料が塗着されてなり、また前記Ｕ字型の薄板状センサシートサポート表面には格子状をなすＸＹ座標目盛りとその区分を示す数字・記号が刻設又はプリントされてなることを特徴とする歯科用咬合圧測定用具と、（２）センサシートの各圧力検出点から出力された電気抵抗が変換されたデジタル信号を受け入れるパラレルインターフェイスモジュールと、（３）前記咬合圧測定センサシートから出力された押圧位置検出信号を解析する中央処理装置（ＣＰＵ）と、（４）前記咬合圧測定センサシートから出力された押圧位置検出信号を解析するＣＰＵから得られる咬合圧力値を画像又は／及びデータにて表示する表示器と、を備えてなるため、
【００１１】
前記用具及びＣＰＵと、その表示器によるＸＹ座標像により、個々の歯牙の咬合圧データ画像を得ることができ、
また、前記歯科用咬合圧測定用具の歯科用咬合圧測定センサシートを噛むことによって得られる印記データを記録したセンサシートとＵ字型の薄板状センサシートサポートの上面に重ね合わされて使用される、格子状をなすＸＹ座標目盛りとその区分を示す数字・記号がプリントされた透明スケール盤とを備えてなるため、センサシート上のＸＹ座標と、表示器上のＸＹ座標との比較が容易である。
【００１２】
５、請求項６の発明によれば、
〔６〕（１）前記印記材が塗着された咬合圧測定センサシートを噛むことによって歯牙の咬合面には印記材が印記されるとともに、センサシートの咬合個所には歯牙に印記された部分が剥がされた状態の歯形の歯列が残存表示され、
（２）この歯形の位置は、前記ＸＹ座標の目盛り区分を示す数字・記号により特定され、
（３）表示器に画像表示された前記ＸＹ座標の目盛り区分を示す数字・記号により、個々の歯牙の咬合圧データを示すパターンの位置が特定されるため、、
前記センサシートと表示画面の両者を目視して比較し、対応する座標上の位置を確認することにより、咬合圧データを示す歯牙の位置決めをすることができる。
６、請求項７の発明によれば、
前記ＸＹ座標の目盛りが施されたセンサシート上の歯形と表示器の画像咬合圧データ及び、歯牙に残る印記データの３つのデータにより、調整を要する歯牙の調整箇所を確認し、処置することができる。
【００１３】
７、請求項８発明によれば、
前記センサシートに塗着される印記材が、スプレーにより塗着されるものであって速乾性でかつ、咬合時には容易に剥がれて歯牙の咬合面に付着するものであり、センサシートに塗布される印記材は、平均的な塗布を素早く行うことが可能なスプレー式であり、空気中において速乾性でかつ、咬合時には容易に剥がれて歯牙の咬合面に付着し、また容易に清拭できるため、センサシートに繰り返して塗布し使用することができる。
【００１４】
以上のことから、簡単な咬合圧測定・咬合調整システムによって施術者は、全部床義歯装着者については、前記の印記材による咬合接触記録から早期接触が確認された場合、
（１）前記表示器の表示及び印記した義歯の人工咬合面から早期接触部を確認する。
（２）早期接触部位を前記人工歯牙の特定咬合頭部位の切削、研磨等の作業により咬合調整を行う。
（３）咬合調整を行った後に前記咬合接触の接触像の記録を行う。
（４）調整後の記録から、Δ面積（早期接触部面積）の減少、干渉時間比（１回のタッピング時間内において、咬合圧波形がピークに達する時間と、咬合圧波形のピークから咬合圧がゼロになるまでの時間の割合）の減少が認められ、標準範囲内であれば調整終了の目安にする。
（５）また、表示される咬合圧の重心の位置により咬合のバランス評価ができる。
さらに、全顎補綴処置者については上記（１）〜（５）項並びに左右及び側方運動時のバランス調整を行うことができる。
【００１５】
部分補綴処置者（冠装着時及び少数歯欠損症例における部分床義歯装着時）については、
（１）冠装着時にクレンチング、タッピング及び側方運動の咬合接触記録を行う。
（２）隣接面のコンタクト調整が終了した段階で、咬合接触記録を行う。
（３）早期接触を確認し、前記歯牙の特定咬合接触部位の切削、研磨等の作業により、咬合調整を行う。
（４）調整後の記録から、Δ面積、Ｏｃｃｌｕｓａｌ  Ｃｏｎｔａｃｔ  ｔｉｍｅ（最大咬みしめ時に咬合接触圧のピークが記録されるまでの時間）、干渉時間比、の増加が認められなければ調整終了の目安にすることができる。
【発明を実施するための最良の形態】
【００１６】
以下図に基づいて実施の形態を説明する。
図１は咬合圧測定・咬合調整システムの構成図である。
図において、１は歯科用咬合圧測定装置、２はセンサシート、２’は挿入用センタガイド、３はセンサコネクタ、３’は挿入センサシート押圧レバー、４はパラレルインターフェイスモジュール、５は電源アダプタ、６はコンピュータ、７は表示器、８はプリンタ、９はセンササポート、９’はセンササポート開口部、１０はセンサシート側のＸＹ座標、１１は目盛り区分数字、１２は画面上のＸＹ座標、１３は信号線、１４は塗布噴霧容器、１５は印記材、１６は被験者、１７は歯列を示す。
【００１７】
咬合圧測定・咬合調整システムの構成は、
歯列１７の加圧力に応じて電気抵抗が変化する押圧感知抵抗体の薄膜を配設したフィルム状のセンサシート２と、該薄膜の上下に１定間隔でマトリクス状に配設されたＸ方向電極及びＹ方向電極と、その交点を個々の圧力検出点となし、
全体をフィルム状シートに形成したセンサシート２の基部を挿入接続し、把持して被験者１６の口腔内に挿入し、前記センサシート２の各圧力検出点の電気抵抗をデジタル信号に変換してパラレルインターフェイスモジュール４に送信するセンサコネクタ３と、該送信信号を処理し周辺装置に送信する前記パラレルインターフェイスモジュール４に接続される電源アタプタ５と、咬合圧を解析表示するコンピュータ６と、同表示器７と、プリンタ８並びに、前記センサーシート２のガイド兼保持具のセンササポート９を着脱自在に備え、また、前記センサーシート２の各圧力検出点からの圧力値が、色彩別のデジタル画像並びにデータとしてリアルタイムで表示・記録される歯科用咬合圧測定装置で構成される。
【００１８】
そして、図１に示すセンサシートの部分は、
咬合部が馬蹄形状をなすセンサシート２の挿入をサポートするための、センサシート２の外周辺に合わせた導入溝を有するＵ字状のセンササポート９の上面には、格子状をなすＸＹ座標目盛りとその区分を示す数字・記号が刻設又は印刷されたセンサシート側のＸＹ座標１０が配設されている。
【００１９】
図２はセンササポート開口部を開きセンサシートを挿入した外観斜視図である。
図において、３’は挿入センサシートの押圧レバーを示す。
図に示したように、センササポートの開口部９’の挿入用センタガイド２’を持って手動により開口する。咬合部が馬蹄形状のセンサシート２の挿入をサポートするためのセンサシートの外周辺に合わせた導入溝を有するＵ字状のセンササポート９の上面には、格子状をなすＸＹ座標目盛りとその区分を示す数字・記号が刻設又は印刷されている。
一方、開口したセンササポートの開口部９’の前端半月状の部分には、セットしたとき（図４）前記Ｕ字状のセンササポートの上面の部分に嵌め込まれる形となり、平面にした時一体化するようにした前記ＸＹ座標目盛りが刻設又は印刷されている。
【００２０】
図３はセンササポートを開口したときの外観斜視図である。
図において、２４は短角筒、２５は蓋片、２６は開閉支点、２７は内面パッキン板、２８は上面パッキン板を示す。
前記センササポートの開口部９’の、Ｕ字型の薄板状センサシート９の基部には、長方形の短角筒２４の下側の長辺の一端縁が水平に接合され、
また短角筒２４の上部の上側の長辺の一端縁には、開閉自在に蓋片２５が枢着されている。
該蓋片２５は左右の開閉支点２６を中心に上下に動く、
そして蓋片２５の下端内面及び前記短角筒の下側の長辺の一端縁の上面には、
内面パッキン板２７及び上面パッキン板２８が配設されている。
この２枚のパッキン板は後記３図のように、センサシート２を挿入し蓋片２５を閉じると、センサシート２のコネクタ部の前方を挟み、固定すると共に、口腔内の唾液等の水分がセンサコネクタ３の部分に侵入するのを阻止しており、汚染を防止することができる。
なお、前記長方形の短角筒２４は、前記センサコネクタ３より取り外すことができる。
【００２１】
図４はセンササポート開口部を閉じＸＹ座標目盛りを平面とした外観斜視図である。
図５は、センササポートの開口部を閉じたときの格子状をなすＸＹ座標と目盛り区分数字・記号を刻設・印刷した平面図である。
なお、目盛りは、左右対称であるから、裏面も同様に使用することができる。
【００２２】
また、前記のような目盛り配設方法の他、前記センササポート２の上面に、その上端縁を挿入用センタガイド２’に合わせて戴置される格子状をなすＸＹ座標目盛り１０と端部にその区分を示す目盛り区分数字１１がプリントされた四角状の透明スケール盤（２３）を用いてもよい。
図６は、戴置用ＸＹ座標の透明スケール盤の平面図である。
図において、２３はＸＹ座標の透明スケール盤である。
この透明スケール盤は、再使用又は使い捨てでもよく、また、透明シートでもよい。
さらに、上記透明スケール盤２３は単独にて使用の他、前記図４のセンササポート上に重ねて使用すれば見やすいＸＹ座標を得ることができる。
図７は、センササポート上に透明スケール盤を重ねたときの平面図である。
【００２３】
図８は、センササポートの咬合部上に印記材を塗布した平面図である。
図において、１８は塗布エリアを示す。
前記ＸＹ座標がプリントされたＵ字状のセンササポート９中央部の、センサシート２の咬合部上には、印記材１５が塗布エリア１８に塗布される。
この時、上記の印記材の塗布はセンサーシート２の表又は裏面あるいは表裏両面に行われる。
また、前記センサシート２に塗布される印記材１５は、平均的な塗布を素早く行うことが可能な、例えばスプレー式（塗布容器１４：図１）が望ましくかつ、空気中において速乾性で、咬合時、容易に歯牙の咬合面に付着して剥がれるものが好ましい。
さらに上記印記材１５は例えば、食材用色素、化粧品用色素で添着性を有する粉体等が望ましく、さらに事後容易に清拭できるものが好ましい。
【００２４】
図９は、印記材の歯牙付着図である。
図において１９は上顎、２０は下顎を示す。
前記印記材１５が塗布されたセンサシート２を咬合すると、生体歯牙の歯列１７又は義歯（図示せず）の咬合面（上顎又は下顎あるいは両顎歯列）に、前記印記材１５が付着し印記される。
【００２５】
図１０はセンサシートに残る歯列データの図である。
図において、２１は歯列データを示す。
前記咬合時には、センサーシート２には塗布エリア１８内の印記１５が剥がされた形で歯列データ２１が残る。
【００２６】
図１１は表示器に表示される咬合圧データの図である。
図において、２２は咬合圧データを示す。
歯科用咬合圧測定装置１の表示器７上には、前記コンピュータ６において作成された前記センサーシート２と同様な格子状をなしかつ、目盛り区分数字１１が入ったＸＹ座標１２が画像表示され、咬合時におけるリアルタイムの咬合圧データ２２が表示される。
【００２７】
次ぎに本構成における作用について説明する。
図１において、前記印記材１５が塗布されたセンサシート２を咬合すると、
生体歯牙の歯列１７又は義歯の咬合面に印記材１５が印記される（図９）とともに、センサシート２の咬合部には上記歯牙に印記された部分が剥がされた状態の歯形の位置即ち歯列データ２１が前記表示（図１０）される。
そして、この歯形の位置を、前記ＸＹ座標１０の目盛り区分数字１１により特定する。
【００２８】
一方、前記咬合測定装置１の表示器７の画面（図１１）に表示された前記画面上のＸＹ座標１２の目盛り区分数字１１により、リアルタイムによる個々の歯牙の咬合圧データ２２の画像の位置を特定する。
前記咬合圧データ２２は、上顎１９又は下顎２０（図９）の歯列１７を咬合した時の画像であるが、前記センサーシート２に残る表又は裏面の歯列の歯形（図１０）の外郭の中に含まれている。
【００２９】
従って、前記センサシート２の歯列データ２１と、表示画面の咬合圧データ２２の両者を並べて目視して比較し、対応する前記画面上のＸＹ座標１２並びにセンサシートのＸＹ座標１０上の位置の確認により、咬合圧データ２２を示す歯牙が、歯列データ２１のどの歯牙に該当しているか、の位置決めをすることができる。
【００３０】
また、前記印記材１５が塗布されたセンサシート２を咬合すると、歯列１７（図１）又は義歯の咬合面（上顎１９又は下顎２０あるいは両顎歯列）に印記材１５が印記された印記像（図９）が得られるため、目視により、歯列データ２１と、咬合圧データ２２と、歯牙の印記像を対比して、相互関係を確認することができる。
即ち、生体歯牙の歯列１７又は義歯における咬合接触部の位置関係が明確になり、診断に引続いて生体歯牙の歯列１７又は義歯の特定咬合部位の切削、研磨等の作業を繰り返す場合、前記咬合圧データ２２と、歯列データ２１と、歯牙の印記像とを比較検討しながら咬合調整を的確に実施することができる。
【００３１】
次ぎに前記による咬合圧測定・咬合調整システムの操作について説明する。
前記センサシート２を被験者１６に約１５秒間咬みしめによるクレンチング及びタッピング運動を行わせて、コンピュータ６によってリアルタイムの咬合圧データ２２を取得する。
また有歯顎者では、これらに加えて側方運動も行う。その際咬みしめは強く行う。なお、側方運動及び咬合頭嵌合位でのクレンチングは、１回の咬みしめで行い、タッピングは連続して行う。
この咬合圧データ２２（歯列咬合頭の圧力分布図）は、前記画面上のＸＹ座標１２を表示している表示器７に所定の大きさで画像表示される。
【００３２】
また、前記咬合圧データ２２の取得時、ＸＹ座標１０がプリントされたセンサシート２には、塗布エリア１８内の印記材１５が剥がされた形で歯列データ２１が表示されるので、両者を目視し座標内の位置関係を確認することにより、歯列咬合頭の圧力分布図の位置決めを行うことができる。
そして画像上に時系列歯列弓咬合接触の圧力分布図（咬合圧データ２２）のリアルタイム画像を取得することにより、前記被験者１６にクレンチング及びタッピング運動を行わせる際の咬合加圧の条件、即ち初期に接触する咬合頭咬合圧から強く咬みしめたときに至るまでの間においての、リアルタイムの変化画像を施術者は順次メモリして表示し、あるいはプリンタ８によりハードコピーとして取得することにより、咬合接触の評価への活用を図ることができる。
【００３３】
また、全部床義歯装着者については、前記印記材１５による咬合接触記録から早期接触が確認された場合、
（１）前記印記材１５を表面に塗布したセンサーシート２において、印記材１５を咬合したために色が抜けている部位と、前記表示器７の表示および印記した義歯の人工咬合面から早期接触部を確認する。この際印記が明瞭でない場合は再度咬みしめを行う。
（２）早期接触部位を前記人工歯牙の特定咬合部位の切削、研磨等の作業により咬合調整を行う。
（３）咬合調整を行った後に前記咬合接触の接触像の記録を行う。
（４）調整後の記録から前記Δ面積の減少、干渉時間比の減少が認められ、標準範囲内であれば調整終了の目安にする。
（５）また、表示される咬合圧の重心の位置により、咬合のバランス評価ができる。
さらに、全顎補綴処置者については、上記（１）〜（４）並びに左右及び側方運動時のバランス調整を行うことができる。
【００３４】
部分補綴処置者（冠装着時及び少数歯欠損症例における部分床義歯装着時）については、
（１）冠装着時にクレンチング、タッピング及び側方運動の咬合接触記録を行う。
（２）隣接面のコンタクト調整が終了した段階で、咬合接触記録を行う。
（３）早期接触を確認し前記歯牙の特定咬合頭部位の切削、研磨等の作業により、咬合調整を行う。
（４）調整後の記録から、前記Δ面積、Ｏｃｃｌｕｓａｌ  Ｃｏｎｔａｃｔ  ｔｉｍｅ、干渉時間比、の増加が認められなければ調整終了の目安にすることができる。
【図面の簡単な説明】
【００３５】
【図１】咬合圧測定・咬合調整システム構成図
【図２】センササポート開口部を開きセンサシートを挿入した外観斜視図
【図３】センササポートを開口したときの外観斜視図
【図４】センササポート開口部を閉じＸＹ座標目盛りを平面とした外観斜視図
【図５】センササポートの開口部を閉じたときの、格子状をなすＸＹ座標と目盛り区分数字・記号を刻設・印刷した平面図
【図６】戴置用ＸＹ座標の透明スケール盤の平面図
【図７】センササポート上に透明スケール盤を重ねたときの平面図
【図８】センササポートの咬合部上に印記材を塗布した平面図
【図９】印記材の歯牙付着図
【図１０】センサシートに残る歯列データの図
【図１１】表示器に表示される咬合圧データの図
【符号の説明】
【００３６】
１：歯科用咬合圧測定装置
２：センサシート
２’：挿入用センタガイド
３：センサコネクタ
３’：挿入センサシート押圧レバー
４：パラレルインターフェイスモジュール
５：電源アダプタ
６：コンピュータ
７：表示器
８：プリンタ
９：センササポート
９’：センササポート開口部
１０：センサシート側のＸＹ座標
１１：目盛り区分数字
１２：画面上のＸＹ座標
１３：信号線
１４：塗布噴霧容器
１５：印記材
１６：被験者
１７：歯列
１８：塗布エリア
１９：上顎
２０：下顎
２１：歯列データ
２２：咬合圧データ
２３：ＸＹ座標の透明スケール盤
２４：短角筒
２５：蓋片
２６：開閉支点
２７：内面パッキン板
２８：上面パッキン板
【図１】
2005270143.tif 000003
【図２】
2005270143.tif 000004
【図３】
2005270143.tif 000005
【図４】
2005270143.tif 000006
【図５】
2005270143.tif 000007
【図６】
2005270143.tif 000008
【図７】
2005270143.tif 000009
【図８】
2005270143.tif 000010
【図９】
2005270143.tif 000011
【図１０】
2005270143.tif 000012
【図１１】
2005270143.tif 000013